(57)【特許請求の範囲】
【請求項１】
カードが挿入及び排出されるカード挿入排出口と、所定長よりも短いカードが前記カード挿入排出口の奥側で装置では移動させられない状態で停止した場合に外部から当該所定長よりも短いカードを抜き取るためのカード抜取用穴とが、装置の正面側に設けられた自動取引装置であって、
前記カード挿入排出口及び前記カード抜取用穴が前端側から後端側に貫通するように形成されているプレート部材と、
前記プレート部材の後方に配置され、前記カードから情報を読み取るカードユニットとを有しており、
前記カード抜取用穴は、前記カード挿入排出口に連通して形成され、
前記カード抜取用穴の壁面は、前記カード挿入排出口の手前側から奥側に進むにつれて、前記カード挿入排出口の奥側で停止している前記所定長よりも短いカードに接近するように、上下方向に傾斜して形成され、
前記プレート部材と前記カードユニットとは、少なくとも前記カード抜取用穴の周囲で、前記プレート部材の後端と前記カードユニットの前端とが任意の距離で離間するように配置されることによって、前記プレート部材に形成された前記カード抜取用穴の後端と前記カードユニットの前端との間に指を動かすことが可能な可動空間を形成している
ことを特徴とする自動取引装置。
【請求項２】
請求項１に記載の自動取引装置において、
前記カード挿入排出口は、手前側から奥側に向けて水平に形成され、
前記カード抜取用穴の壁面は、前記カード挿入排出口の手前側から奥側に進むにつれて、前記カード挿入排出口の奥側で水平な状態で停止している前記所定長よりも短いカードに接近するように、上下方向に傾斜して形成されている
ことを特徴とする自動取引装置。
【請求項３】
請求項１又は請求項２に記載の自動取引装置において、
前記カード挿入排出口は、横幅方向が水平方向となるように、形成されている
ことを特徴とする自動取引装置。
【請求項４】
請求項３に記載の自動取引装置において、
前記カード抜取用穴は、前記カード挿入排出口の上下のいずれか一方で、かつ、前記カード挿入排出口の横幅方向の略中央部の位置に、手前側から奥側に向けて延在するように、一つだけ形成されている
ことを特徴とする自動取引装置。
【請求項５】
請求項３に記載の自動取引装置において、
前記カード抜取用穴は、前記カード挿入排出口の上下のいずれか一方で、かつ、前記カード挿入排出口の横幅方向の略中央部の両横の位置に、手前側から奥側に向けて延在するように、二つ形成されている
ことを特徴とする自動取引装置。
【請求項６】
請求項３に記載の自動取引装置において、
前記カード抜取用穴は、前記カード挿入排出口の上下の双方で、かつ、前記カード挿入排出口の横幅方向の略中央部の位置に、手前側から奥側に向けて延在するように、二つ形成されている
ことを特徴とする自動取引装置。
【請求項７】
請求項１乃至請求項５のいずれか一項に記載の自動取引装置において、
前記カードユニットには、前記カードを案内するガイド部が設けられており、
前記ガイド部は、前記カードユニットの本体から前記プレート部材の方向に突出している
ことを特徴とする自動取引装置。
【発明の詳細な説明】
【技術分野】
【０００１】
本発明は、カードが挿入及び排出されるカード挿入排出口を有する自動取引装置に関する。
【背景技術】
【０００２】
従来、利用者の操作に応じて自動的に取引を実行する自動取引装置が、様々な場所で利用されている。この種の自動取引装置としては、例えば、金融機関や流通機関で用いられているＡＴＭ（Ａｕｔｏｍａｔｉｃ  Ｔｅｌｌｅｒ  Ｍａｃｈｉｎｅ：現金自動預け払い機）や、交通機関や流通機関で用いられている発券機等がある（例えば、特許文献１参照）。自動取引装置の多くは、カードが挿入及び排出されるカード挿入排出口を有しており、利用者によって所持されたカードを装置の内部に取り込み、カードから各種の情報を読み取ったり、又は、各種の情報をカードに書き込んだりする構成になっている。
【先行技術文献】
【特許文献】
【０００３】
【特許文献１】特開２０１４−９２９０１号公報
【発明の概要】
【発明が解決しようとする課題】
【０００４】
従来の自動取引装置は、以下に説明するように、所定長よりも短いカードがカード挿入排出口に挿入された場合であっても、カード挿入排出口からカードを容易に抜き取ることができることが望まれている、という課題があった。
【０００５】
例えば、自動取引装置は、稀に、予め規定された所定長よりも短いカードが利用者によってカード挿入排出口に挿入される場合がある。「所定長よりも短いカード」とは、例えば、長手方向の半分が欠損したカード（つまり、半分に折れたカード）等である。
【０００６】
従来の自動取引装置は、所定長よりも短いカードがカード挿入排出口に挿入された場合に、内蔵されたカードユニットによってカードの長さの異常を検知し、挿入エラーが発生したものと判断して、カードを装置の外部に排出しようとする。
【０００７】
しかしながら、カードユニットの搬送機構は、所定長以上のカードを搬送させることを想定して設計されている。そのため、カードユニットは、カードの長さが所定長よりも短いと、搬送機構による搬送駆動ではカードを搬送させることができない。
【０００８】
したがって、従来の自動取引装置は、このような場合に、カードを排出しようとしても、カードの後端をカード挿入排出口の外に出すこと（すなわち、カードを装置の外部に排出すること）ができなかった。その結果、このような場合に、カードがカード挿入排出口の内部（奥側）に残留する。
【０００９】
残留したカードは、後端がカード挿入排出口の外に出ていないため、仮に利用者や行員等が抜き取ることを試みても、抜き取ることができない。その結果、このような場合に、従来の自動取引装置は、以降の取引処理を実行することができなくなり、休止状態になっていた。これによって、運用効率が低下していた。
【００１０】
なお、従来の自動取引装置の中には、カードが所定時間を超えてカード挿入排出口の内部（奥側）に残留する場合に、残留しているカードを取り忘れカードと見なし、カードを装置の内部に取り込んで所定の場所で保管する機能が付与されている装置がある。
【００１１】
しかしながら、そのような装置であっても、内蔵されたカードユニットの搬送機構が所定長以上のカードを搬送させることを想定して設計されているため、残留しているカードの長さが所定長よりも短いと、カードを搬送させることができない。したがって、そのような装置であっても、残留しているカードを装置の内部に取り込むことができず、カードがカード挿入排出口の内部（奥側）に残留し続ける。その結果、そのような装置であっても、以降の取引処理を実行することができなくなり、休止状態になっていた。
【００１２】
したがって、従来の自動取引装置は、所定長よりも短いカード（つまり、搬送機構では搬送させることができないカード）がカード挿入排出口に挿入された場合であっても、カード挿入排出口からカードを容易に抜き取ることができることが望まれていた。
【００１３】
本発明は、前記した課題を解決するためになされたものであり、所定長よりも短いカードがカード挿入排出口に挿入された場合であっても、カード挿入排出口からカードを容易に除去することができる自動取引装置を提供することを主な目的とする。
【課題を解決するための手段】
【００１４】
前記目的を達成するため、本発明は、カードが挿入及び排出されるカード挿入排出口と、所定長よりも短いカードが前記カード挿入排出口の奥側で装置では移動させられない状態で停止した場合に外部から当該所定長よりも短いカードを抜き取るためのカード抜取用穴とが、装置の正面側に設けられた自動取引装置であって、前記カード挿入排出口及び前記カード抜取用穴が前端側から後端側に貫通するように形成されているプレート部材と、前記プレート部材の後方に配置され、前記カードから情報を読み取るカードユニットとを有しており、前記カード抜取用穴は、前記カード挿入排出口に連通して形成され、前記カード抜取用穴の壁面は、前記カード挿入排出口の手前側から奥側に進むにつれて、前記カード挿入排出口の奥側で停止している前記所定長よりも短いカードに接近するように、上下方向に傾斜して形成され、前記プレート部材と前記カードユニットとは、少なくとも前記カード抜取用穴の周囲で、前記プレート部材の後端と前記カードユニットの前端とが任意の距離で離間するように配置されることによって、前記プレート部材に形成された前記カード抜取用穴の後端と前記カードユニットの前端との間に指を動かすことが可能な可動空間を形成している構成とする。
【００１５】
この自動取引装置は、カード抜取用穴を有するため、所定長よりも短いカードがカード挿入排出口に挿入された場合であっても、利用者又は行員等が、指等をカード抜取用穴に入れてカードに接触し、カードをカード挿入排出口の外側に向けて押圧して、カードを引き出すことができる。その結果、この自動取引装置は、カード挿入排出口からカードを容易に抜き取ることができる。
【発明の効果】
【００１６】
本発明によれば、所定長よりも短いカードがカード挿入排出口に挿入された場合であっても、カード挿入排出口からカードを容易に抜き取ることができる自動取引装置を提供することができる。
【図面の簡単な説明】
【００１７】
【図１】実施形態に係る自動取引装置の全体構成を示す斜視図である。
【図２】実施形態に係るカード抜取用穴の構成を示す正面図である。
【図３】実施形態に係るカード抜取用穴の構成を示す断面図である。
【図４】実施形態に係るカード抜取用穴の利用時の説明図である。
【図５】第１変形例に係るカード抜取用穴の構成を示す正面図である。
【図６】第２変形例に係るカード抜取用穴の構成を示す正面図である。
【図７】第３変形例に係るカード抜取用穴の構成を示す正面図である。
【発明を実施するための形態】
【００１８】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１９】
［実施形態］
＜自動取引装置の構成＞
以下、図１〜図３を参照して、本実施形態に係る自動取引装置の構成につき説明する。図１は、本実施形態に係る自動取引装置の全体構成を示す斜視図である。図２は、実施形態に係るカード抜取用穴の構成を示す正面図である。図３は、実施形態に係るカード抜取用穴の構成を示す断面図である。
【００２０】
（自動取引装置の全体構成）
本実施形態に係る自動取引装置１は、利用者の操作に応じて自動的に取引を実行する装置である。ここでは、自動取引装置１が、例えば、金融機関や流通機関で用いられているＡＴＭ（Ａｕｔｏｍａｔｉｃ  Ｔｅｌｌｅｒ  Ｍａｃｈｉｎｅ：現金自動預け払い機）として構成されている場合を想定して説明する。
【００２１】
図１に示すように、自動取引装置１は、正面側に、媒体取扱部２、表示操作部３、テンキー４、紙幣入出金部５、及び、ハンドセット７を有している。
媒体取扱部２は、カードやレシート等の各種媒体を取り扱う部位である。
表示操作部３は、各種情報を表示するとともに、利用者による操作を受け付ける部位である。
テンキー４は、０〜９の番号キーや、エンタキー、取消キー等である。
紙幣入出金部５は、紙幣が投入及び排出される部位である。
ハンドセット７は、遠隔地にいる行員等と会話するための受話器である。
【００２２】
媒体取扱部２には、カード挿入排出口２１とレシート排出口２２とが設けられている。
カード挿入排出口２１は、カードが挿入及び排出される開口部である。
レシート排出口２２は、取引履歴等が印字されたレシートが排出される開口部である。
【００２３】
（自動取引装置のカード挿入排出口の構成）
図２に示すように、カード挿入排出口２１とレシート排出口２２との間には、仕切り部２３が設けられている。仕切り部２３は、カード挿入排出口２１とレシート排出口２２との間を仕切るために形成された突起部である。仕切り部２３の後方（背後）には、後記するカードユニット８（図３参照）のガイド部１２が配置されている。
【００２４】
カード挿入排出口２１の周囲には、カード抜取用穴２４が設けられている。カード抜取用穴２４は、カードがカード挿入排出口２１の内部（奥側）で自動取引装置１の搬送機構（つまり、後記するカードユニット８の搬送機構）による搬送駆動では移動させられない状態で停止した場合に、外部からカードを抜き取るために形成された穴（貫通孔や溝を含む）である。本実施形態では、カード抜取用穴２４は、後記するプレート部材２０を貫通する貫通孔として形成されている。カード抜取用穴２４は、カード挿入排出口２１に連通して形成されている。
【００２５】
本願の発明者は、たとえ所定長よりも短いカードがカード挿入排出口２１に挿入された場合であっても、指等を１本でも装置の内部に入れることができれば、カード挿入排出口２１からカードを抜き取ることができる、と考えた。そこで、自動取引装置１は、指（例えば、人差し指）等を装置の内部に入れるためのカード抜取用穴２４がカード挿入排出口２１に連通して形成された構成になっている。
【００２６】
カード挿入排出口２１は、横幅方向が水平方向と一致した状態で、手前側（前方）から奥側（後方）に延在するように形成されている。一方、カード抜取用穴２４は、カード挿入排出口２１の上下のいずれか一方又は双方の任意の位置に、手前側から奥側に延在するように形成されている。本実施形態では、レシート排出口２２がカード挿入排出口２１の直近の上方に設けられているため、カード抜取用穴２４は、レシート排出口２２を回避するように、カード挿入排出口２１の下方で、かつ、カード挿入排出口２１の横幅方向の略中央部の位置（以下、「略中央部の位置」と称する）に、手前側から奥側に向けて延在するように、一つだけ形成されている。
【００２７】
なお、カード抜取用穴２４を略中央部の位置に形成する理由は、カードの抜き取り時に、押圧力がカードの左右の偏った位置にかかると、カードの走行姿勢が傾いて、カードがカード挿入排出口２１の内部（奥側）で引っかかる可能性があり、それを防止するためである。
【００２８】
例えば、カードは、抜き取り時に、押圧力が左部分又は右部分に集中的にかかった状態で、カード挿入排出口２１の外側（自動取引装置１の前側）に向けて押圧されると、走行姿勢が右方向又は左方向に傾いて、カード挿入排出口２１の内部（奥側）で引っかかる可能性がある。そこで、本実施形態は、カード抜取用穴２４を略中央部の位置に形成することによって、押圧力をバランス良くカードの略中央部にかけて、カードの走行姿勢が右方向又は左方向に傾かないようにし、もって、カードがカード挿入排出口２１の内部（奥側）で引っかかることを防止している。
【００２９】
本実施形態では、カード抜取用穴２４は、正面方向視形状が半円状又は円弧状になるように形成されている。カード抜取用穴２４のサイズは、例えば、最奥部（後記するプレート部材２０の後端）での横幅ｔ１と縦幅ｔ２とが１．５〜３．５（ｍｍ）の間の好適な値になるように、日本人の成人男性の標準的な指（ここでは、人差し指）のサイズに基づいて適宜設定されている。ただし、横幅ｔ１は、大きくなり過ぎると、カードの走行性が低下する可能性があるため、大きくなり過ぎないように設定する必要がある。本実施形態では、横幅ｔ１と縦幅ｔ２とが、それぞれ、一例として、約２．０（ｍｍ）に設定されているものとして説明する。
【００３０】
本実施形態では、自動取引装置１は、カード挿入排出口２１とレシート排出口２２とカード抜取用穴２４とがプレート部材２０に形成されており、そのプレート部材２０が筺体フレーム１ａ（図３参照）に取り付けられた構成になっている。図３は、図２に示す線Ｘ１−Ｘ１に沿って媒体取扱部２を切断した切断面の形状を示している。
【００３１】
図３に示すように、プレート部材２０は、後端側の部位が平板状に形成されており、前端側の部位が後端側の部位から前方に向けて突出した形状になっている。プレート部材２０の前端側の部位は、筺体フレーム１ａに形成された開口部１ｂの中に嵌り込む形状に形成されている。なお、プレート部材２０の前端側の部位は、正面方向視において、全体形状が矩形状を呈しており、角部分に円弧が形成された形状になっている（図２参照）。
【００３２】
プレート部材２０には、カード挿入排出口２１、レシート排出口２２、及びカード抜取用穴２４が、プレート部材２０の前端側の部位から後端側の部位に貫通するように形成されている。プレート部材２０は、好ましくは、設計を容易に変更することができるように、例えば、合成樹脂等によって成形されているとよい。
【００３３】
プレート部材２０の後方には、カードユニット８とレシートユニット９とが配置されている。
カードユニット８は、カード１０から各種の情報を読み取ったり又は各種の情報をカード１０に書き込んだりする装置である。
レシートユニット９は、取引履歴等が印字されたレシートを発行する装置である。
【００３４】
カードユニット８の内部には、カード１０の搬送経路が形成されている。その搬送経路の周囲には、カード１０を搬送させるための搬送機構（図示せず）が設けられている。搬送機構は、例えば、複数の搬送ローラ（図示せず）によって構成されている。各搬送ローラの隣接するもの同士のピッチは、所定長のカードを搬送させることができる距離に設定されている。
【００３５】
カードユニット８は、カード１０の搬送経路とプレート部材２０に形成されたカード挿入排出口２１とが一致するように、プレート部材２０の後方に配置されている。一方、レシートユニット９は、カードユニット８の上方に配置されている。
【００３６】
カードユニット８の前端側には、ガイド部１２が設けられている。ガイド部１２は、下面がカード１０に当接するとともに、上面がレシート（図示せず）と当接することによって、カード１０及びレシートの走行をガイドする部位である。ガイド部１２は、カード１０の挿入時に、カード１０をカード挿入排出口２１に向けて案内（誘導）する。また、ガイド部１２は、レシートの排出時に、レシートユニット９によって排出されたレシートをレシート排出口２２に向けて案内（誘導）する。
【００３７】
ガイド部１２は、カードユニット８の本体から前方に突出するように形成されている。また、ガイド部１２は、仕切り部２３の後方に配置されている。
【００３８】
レシートユニット９は、レシートの排出時に、レシートをカードユニット８のガイド部１２に突き当てるように排出する。本実施形態では、自動取引装置１は、レシートの排出とカードの排出とを同時に行うことによって、レシートをカード１０の上に重ねて排出する構成になっている。
【００３９】
なお、カードユニット８は、図示せぬ搬送機構によってカード１０を内部に取り込む構成になっている。しかしながら、図３に示す例では、予め規定された所定長よりも短いカード１０が利用者によってカード挿入排出口２１に挿入されているため、カードユニット８は、カード１０を内部に取り込むことができずに、カード１０をカード挿入排出口２１の内部（奥側）で停止させた状態になっている。
【００４０】
本実施形態では、カード抜取用穴２４の壁面２５（特に、カード１０と対向する部分）は、カード挿入排出口２１の手前側から奥側に進むにつれて、カード挿入排出口２１の内部（奥側）で停止しているカード１０に接近するように、傾斜して形成されている。つまり、壁面２５は、手前側から奥側に向けて上昇するように傾斜して形成されている。これにより、自動取引装置１は、利用者の指をカード挿入排出口２１の内部（奥側）で停止しているカード１０に向けて案内して、利用者の指をカード１０に確実に接触させるとともに、利用者の指を手前側に動かし易くしている。
【００４１】
プレート部材２０とカードユニット８とは、少なくともカード抜取用穴２４の周囲で、プレート部材２０の後端とカードユニット８の前端とが任意の距離ＳＰ１で離間するように、配置されている。これにより、自動取引装置１は、利用者の指を装置の奥深く（好ましくは、カード１０を抜き取ることができる所）にまで入れさせて比較的自由に動かせることができるようにしている。つまり、これにより、自動取引装置１は、利用者の指の動きの可動空間を広げている。そのため、利用者は、カード１０を容易に抜き取ることができる。
【００４２】
＜自動取引装置の動作＞
以下、図３及び図４を参照して、自動取引装置１の動作につき説明する。図４は、本実施形態に係るカード抜取用穴２４の利用時の説明図である。ここでは、予め規定された所定長よりも短いカード１０が利用者によってカード挿入排出口２１に挿入された場合を想定して説明する。
【００４３】
このような場合に、図３に示すように、自動取引装置１は、内蔵されたカードユニット８によってカード１０の長さの異常を検知し、挿入エラーが発生したものと判断して、カード１０を装置１の外部に排出しようとする。
【００４４】
しかしながら、カードユニット８の搬送機構は、カード１０の長さが所定長よりも短いため、カード１０の後端をカード挿入排出口２１の外に出すこと（すなわち、カード１０を自動取引装置１の外部に排出すること）ができない。したがって、このような場合に、カード１０がカード挿入排出口２１の内部（奥側）に残留する。自動取引装置１は、このままでは、以降の取引処理を実行することができなくなり、休止状態になってしまう。
【００４５】
そこで、このような場合に、図４に示すように、利用者又は行員等が、指（例えば、人差し指）等をカード抜取用穴２４に入れてカード１０の後端付近に接触し、カード１０をカード挿入排出口２１の外側（矢印Ａ１の方向）に向けて押圧して、カード１０を引き出す。これにより、自動取引装置１は、カード挿入排出口２１からカード１０を容易に抜き取ることができる。
【００４６】
以上の通り、本実施形態に係る自動取引装置１によれば、所定長よりも短いカード１０がカード挿入排出口２１に挿入された場合であっても、カード挿入排出口２１からカード１０を容易に抜き取ることができる。
【００４７】
［変形例］
本発明は、前記した実施形態に限定されることなく、本発明の要旨を逸脱しない範囲で種々の変更や変形を行うことができる。
【００４８】
例えば、本発明は、利用者によって所持されているカード１０が挿入される自動取引装置１であれば、金融機関や流通機関で用いられているＡＴＭ（現金自動預け払い機）だけでなく、例えば、交通機関や流通機関で用いられている発券機や、その他の装置に利用することができる。
【００４９】
また、例えば、本発明は、所定長よりも短いこと以外の要因で、カード１０がカード挿入排出口２１の内部（奥側）で停止している場合にも、適用することができる。
【００５０】
また、前記した実施形態では、自動取引装置１は、カード挿入排出口２１とレシート排出口２２とカード抜取用穴２４とがプレート部材２０に形成された構成になっている。しかしながら、例えば、自動取引装置１は、カード挿入排出口２１とレシート排出口２２とカード抜取用穴２４とが筺体フレーム１ａ（図３参照）に形成されることによって、プレート部材２０を排除した構成にすることができる。
【００５１】
また、前記した実施形態では、人差し指をカード抜取用穴２４に入れる場合を想定して説明している。しかしながら、指の代わりに、細長い部材（例えば、消しゴム付きの鉛筆等）を入れるようにしてもよい。
【００５２】
（第１変形例に係るカード抜取用穴の構成）
また、前記した実施形態では、カード抜取用穴２４は、カード挿入排出口２１の下方で、かつ、カード挿入排出口２１の横幅方向の略中央部の位置に、手前側から奥側に向けて延在するように、一つだけ形成されている。
【００５３】
しかしながら、カード抜取用穴２４は、例えば、図５に示す第１変形例のように形成することができる。図５は、第１変形例に係るカード抜取用穴２４Ａａ，２４Ａｂの構成を示す正面図である。
【００５４】
図５に示す第１変形例では、カード抜取用穴２４として、二つのカード抜取用穴２４Ａａ，２４Ａｂが、カード挿入排出口２１の下方で、かつ、カード挿入排出口２１の横幅方向の略中央部の両横の位置に、手前側から奥側に向けて延在するように、形成された構成になっている。
【００５５】
第１変形例に係るカード抜取用穴２４Ａａ，２４Ａｂは、２本の指をカード１０に接触させることによって、カード１０をカード挿入排出口２１の外側に向けて押圧することができるため、前記した実施形態よりもカード１０の抜き取り易さを向上させることができる。
【００５６】
なお、カード挿入排出口２１の下方又は上方に形成するカード抜取用穴２４の数は、三つ以上である場合に、カード１０の走行性を低下させる可能性があるため、二つ以下であることが好ましい。
【００５７】
また、カード抜取用穴２４Ａａ，２４Ａｂは、レシート排出口２２がカード挿入排出口２１の近傍に設けられていない場合に、カード挿入排出口２１の上方で、かつ、カード挿入排出口２１の横幅方向の略中央部の両横の位置に、手前側から奥側に向けて延在するように、二つ形成された構成にすることができる。
【００５８】
（第２変形例に係るカード抜取用穴の構成）
また、カード抜取用穴２４は、例えば、レシート排出口２２がカード挿入排出口２１の近傍に設けられていない場合に、図６に示す第２変形例のように形成することができる。図６は、第２変形例に係るカード抜取用穴２４Ｂの構成を示す正面図である。
【００５９】
図６に示す第２変形例では、カード抜取用穴２４として、一つのカード抜取用穴２４Ｂが、カード挿入排出口２１の上方で、かつ、カード挿入排出口２１の横幅方向の略中央部の位置に、手前側から奥側に向けて延在するように、形成された構成になっている。
【００６０】
第２変形例に係るカード抜取用穴２４Ｂは、前記した実施形態に係るカード抜取用穴２４と同等に、カード挿入排出口２１からカード１０を抜き取ることができる。
【００６１】
（第３変形例に係るカード抜取用穴の構成）
また、カード抜取用穴２４は、例えば、レシート排出口２２がカード挿入排出口２１の近傍に設けられていない場合に、図７に示す第３変形例のように形成することができる。図７は、第３変形例に係るカード抜取用穴２４Ｃａ，２４Ｃｂの構成を示す正面図である。
【００６２】
図７に示す第３変形例では、カード抜取用穴２４として、二つのカード抜取用穴２４Ｃａ，２４Ｃｂが、カード挿入排出口２１の上下の双方で、かつ、カード挿入排出口２１の横幅方向の略中央部の位置に、手前側から奥側に向けて延在するように、形成された構成になっている。
【００６３】
第３変形例に係るカード抜取用穴２４Ｃａ，２４Ｃｂは、２本の指（例えば、親指と人差し指）でカード１０を挟んで抜き取ることができるため、カード挿入排出口２１からカード１０を確実に抜き取ることができる。
【符号の説明】
【００６４】
１    自動取引装置（ＡＴＭ）
１ａ    筺体フレーム
１ｂ    開口部
２    媒体取扱部
３    表示操作部
４    テンキー
５    紙幣入出金部
７    ハンドセット
８    カードユニット
９    レシートユニット
１０    カード
１１    指
１２    ガイド部
２０，２０Ａ，２０Ｂ，２０Ｃ    プレート部材
２１    カード挿入排出口
２２    レシート排出口
２３    仕切り部
２４，２４Ａａ，２４Ａｂ，２４Ｂ，２４Ｃａ，２４Ｃｂ    カード抜取用穴
２５    壁面
【図１】
0006481285.tif 000002
【図２】
0006481285.tif 000003
【図３】
0006481285.tif 000004
【図４】
0006481285.tif 000005
【図５】
0006481285.tif 000006
【図６】
0006481285.tif 000007
【図７】
0006481285.tif 000008